【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
方法であって、
第１のアクセスポイント電力クラスを有するアクセスポイントに割り当てられるアンカー・キャリアを、複数の利用可能なキャリアから判定することと、ここにおいて、前記アンカー・キャリアは、キャリア割り当て情報に少なくとも部分的に基づいて前記アクセスポイントに割り当てられ、前記キャリア割り当て情報は、前記アクセスポイントのための第１のキャリア割り当てスキームを定義する、
ここにおいて、前記キャリア割り当て情報は、前記アクセスポイントのアクセスポイント電力クラスに少なくとも部分的に基づいて、前記アンカー・キャリアに関連付けられた最大電力レベルと、ダウンリンク制御データ伝送のための複数のアクセスポイント電力クラスの前記アクセスポイント電力クラスのために予約されるアンカー・キャリアとを指定し、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
第１の電力レベルにおいて前記アンカー・キャリアを使用して前記アクセスポイントから第１の制御データ伝送を受信することと、
前記アクセスポイントに干渉情報を送信することと、前記干渉情報は、前記アンカー・キャリアの上で受信された干渉に基づく、ここにおいて、前記干渉は、前記異なるアクセスポイント電力クラスを有する前記異なるアクセスポイントから受信される、
第２の電力レベルにおいて前記第２のキャリアを使用して前記アクセスポイントから第２の制御データ伝送を受信することと、ここにおいて、前記第２のキャリア及び前記第２の電力レベルは、前記送信された干渉情報に少なくとも部分的に基づいて選択され、前記第２の電力レベルは、前記キャリア割り当て情報において指定された前記最大電力レベルを超えない、
を含む方法。
【請求項２】
前記異なるアクセスポイントから前記アンカー・キャリアの上で前記干渉を受信することをさらに含む請求項１の方法。
【請求項３】
前記第１の制御データ伝送を前記受信することは、前記アクセスポイントの前記第１のアクセスポイント電力クラスに少なくとも部分的に基づいて低い電力レベルで前記アクセスポイントから前記第１の制御データ伝送を受信することを含む請求項１の方法。
【請求項４】
前記アクセスポイントは、ピコセル・アクセスポイント又はフェムトセル・アクセスポイントであり、前記異なるアクセスポイントは、マクロセル・アクセスポイントである請求項１の方法。
【請求項５】
前記異なるアクセスポイントは、前記異なるアクセスポイント電力クラスに少なくとも部分的に基づいて、１又は複数の異なるキャリアの上で通信し、
ここにおいて、前記１又は複数の異なるキャリアのうちの少なくとも一つは、前記異なるアクセスポイントのためのアンカー・キャリアである請求項１の方法。
【請求項６】
前記第２のキャリアの上で前記アクセスポイントから異なる伝送を受信することを更に含む請求項１の方法。
【請求項７】
前記第２のキャリアに関係する干渉情報を前記アクセスポイントに送信することを更に含む請求項１の方法。
【請求項８】
無線通信装置であって、
第１のアクセスポイント電力クラスを有するアクセスポイントに割り当てられるアンカー・キャリアを、複数の利用可能なキャリアから判定し、ここにおいて、前記アンカー・キャリアは、キャリア割り当て情報に少なくとも部分的に基づいて前記アクセスポイントに割り当てられ、前記キャリア割り当て情報は、前記アクセスポイントのための第１のキャリア割り当てスキームを定義する、
ここにおいて、前記キャリア割り当て情報は、前記アクセスポイントのアクセスポイント電力クラスに少なくとも部分的に基づいて、前記アンカー・キャリアに関連付けられた最大電力レベルと、ダウンリンク制御データ伝送のための複数のアクセスポイント電力クラスの前記アクセスポイント電力クラスのために予約されるアンカー・キャリアとを指定し、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
第１の電力レベルにおいて前記アンカー・キャリアを使用して前記アクセスポイントから第１の制御データ伝送を受信し、
前記アクセスポイントに干渉情報を送信し、前記干渉情報は、前記アンカー・キャリアの上で受信された干渉に基づく、ここにおいて、前記干渉は、前記異なるアクセスポイント電力クラスを有する前記異なるアクセスポイントから受信される、
第２の電力レベルにおいて前記第２のキャリアを使用して前記アクセスポイントから第２の制御データ伝送を受信する、ここにおいて、前記第２のキャリア及び前記第２の電力レベルは、前記送信された干渉情報に少なくとも部分的に基づいて選択され、前記第２の電力レベルは、前記キャリア割り当て情報において指定された前記最大電力レベルを超えない、
ように構成された少なくとも一つのプロセッサと、
前記少なくとも一つのプロセッサに接続されたメモリと
を含む無線通信装置。
【請求項９】
前記少なくとも一つのプロセッサは、前記異なるアクセスポイントから前記アンカー・キャリアの上で前記干渉を受信するように更に構成された請求項８の無線通信装置。
【請求項１０】
前記アクセスポイントは、ピコセル・アクセスポイント又はフェムトセル・アクセスポイントであり、前記異なるアクセスポイントは、マクロセル・アクセスポイントである請求項８の無線通信装置。
【請求項１１】
装置であって、
第１のアクセスポイント電力クラスを有するアクセスポイントに割り当てられるアンカー・キャリアを、複数の利用可能なキャリアから判定するための手段と、ここにおいて、前記アンカー・キャリアは、キャリア割り当て情報に少なくとも部分的に基づいて前記アクセスポイントに割り当てられ、前記キャリア割り当て情報は、前記アクセスポイントのための第１のキャリア割り当てスキームを定義する、
ここにおいて、前記キャリア割り当て情報は、前記アクセスポイントのアクセスポイント電力クラスに少なくとも部分的に基づいて、前記アンカー・キャリアに関連付けられた最大電力レベルと、ダウンリンク制御データ伝送のための複数のアクセスポイント電力クラスの前記アクセスポイント電力クラスのために予約されるアンカー・キャリアとを指定し、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
第１の電力レベルにおいて前記アンカー・キャリアを使用して前記アクセスポイントから第１の制御データ伝送を受信するための手段と、
前記アクセスポイントに干渉情報を送信するための手段と、前記干渉情報は、前記アンカー・キャリアの上で受信された干渉に基づく、ここにおいて、前記干渉は、前記異なるアクセスポイント電力クラスを有する前記異なるアクセスポイントから受信される、
第２の電力レベルにおいて前記第２のキャリアを使用して前記アクセスポイントから第２の制御データ伝送を受信するための手段と、ここにおいて、前記第２のキャリア及び前記第２の電力レベルは、前記送信された干渉情報に少なくとも部分的に基づいて選択され、前記第２の電力レベルは、前記キャリア割り当て情報において指定された前記最大電力レベルを超えない、
を含む装置。
【請求項１２】
前記受信するための手段は、前記異なるアクセスポイントから前記アンカー・キャリアの上で前記干渉を受信する、請求項１１の装置。
【請求項１３】
前記アクセスポイントは、ピコセル・アクセスポイント又はフェムトセル・アクセスポイントであり、前記異なるアクセスポイントは、マクロセル・アクセスポイントである請求項１１の装置。
【請求項１４】
コンピュータ・プログラムであって、
少なくとも一つのコンピュータに、第１のアクセスポイント電力クラスを有するアクセスポイントに割り当てられるアンカー・キャリアを、複数の利用可能なキャリアから判定させるためのコードと、ここにおいて、前記アンカー・キャリアは、キャリア割り当て情報に少なくとも部分的に基づいて前記アクセスポイントに割り当てられ、前記キャリア割り当て情報は、前記アクセスポイントのための第１のキャリア割り当てスキームを定義する、
ここにおいて、前記キャリア割り当て情報は、前記アクセスポイントのアクセスポイント電力クラスに少なくとも部分的に基づいて、前記アンカー・キャリアに関連付けられた最大電力レベルと、ダウンリンク制御データ伝送のための複数のアクセスポイント電力クラスの前記アクセスポイント電力クラスのために予約されるアンカー・キャリアとを指定し、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
前記少なくとも一つのコンピュータに、第１の電力レベルにおいて前記アンカー・キャリアを使用して前記アクセスポイントから第１の制御データ伝送を受信させるためのコードと、
前記少なくとも一つのコンピュータに、前記アクセスポイントに干渉情報を送信させるためのコードと、前記干渉情報は、前記アンカー・キャリアの上で受信された干渉に基づく、ここにおいて、前記干渉は、前記異なるアクセスポイント電力クラスを有する前記異なるアクセスポイントから受信される、
前記少なくとも一つのコンピュータに、第２の電力レベルにおいて前記第２のキャリアを使用して前記アクセスポイントから第２の制御データ伝送を受信させるためのコードと、ここにおいて、前記第２のキャリア及び前記第２の電力レベルは、前記送信された干渉情報に少なくとも部分的に基づいて選択され、前記第２の電力レベルは、前記キャリア割り当て情報において指定された前記最大電力レベルを超えない、
を含むコンピュータ・プログラム。
【請求項１５】
前記少なくとも１つのコンピュータに、前記異なるアクセスポイントから前記アンカー・キャリアの上で前記干渉を受信させるためのコード
をさらに含む請求項１４のコンピュータ・プログラム。
【請求項１６】
前記アクセスポイントは、ピコセル・アクセスポイント又はフェムトセル・アクセスポイントであり、前記異なるアクセスポイントは、マクロセル・アクセスポイントである請求項１４のコンピュータ・プログラム。
【請求項１７】
装置であって、
第１のアクセスポイント電力クラスを有するアクセスポイントに割り当てられるアンカー・キャリアを、複数の利用可能なキャリアから判定し、ここにおいて、前記アンカー・キャリアは、キャリア割り当て情報に少なくとも部分的に基づいて前記アクセスポイントに割り当てられ、前記キャリア割り当て情報は、前記アクセスポイントのための第１のキャリア割り当てスキームを定義する、
ここにおいて、前記キャリア割り当て情報は、前記アクセスポイントのアクセスポイント電力クラスに少なくとも部分的に基づいて、前記アンカー・キャリアに関連付けられた最大電力レベルと、ダウンリンク制御データ伝送のための複数のアクセスポイント電力クラスの前記アクセスポイント電力クラスのために予約されるアンカー・キャリアとを指定し、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
アクセスポイント選択コンポーネントと、
前記アクセスポイントに干渉情報を送信し、前記干渉情報は、前記アンカー・キャリアの上で受信された干渉に基づく、ここにおいて、前記干渉は、前記異なるアクセスポイント電力クラスを有する前記異なるアクセスポイントから受信される、
送信コンポーネントと、
第１の電力レベルにおいて前記アンカー・キャリアを使用して前記アクセスポイントから第１の制御データ伝送を受信し、
第２の電力レベルにおいて前記第２のキャリアを使用して前記アクセスポイントから第２の制御データ伝送を受信し、ここにおいて、前記第２のキャリア及び前記第２の電力レベルは、前記送信された干渉情報に少なくとも部分的に基づいて選択され、前記第２の電力レベルは、前記キャリア割り当て情報において指定された前記最大電力レベルを超えない、
受信コンポーネントと、
を含む装置。
【請求項１８】
前記受信コンポーネントは、前記異なるアクセスポイントから前記アンカー・キャリアの上で前記干渉を受信する請求項１７の装置。
【請求項１９】
前記アクセスポイントは、ピコセル・アクセスポイント又はフェムトセル・アクセスポイントであり、前記異なるアクセスポイントは、マクロセル・アクセスポイントである請求項１７の装置。
【請求項２０】
方法であって、
アクセスポイントのアクセスポイント電力クラスに少なくとも部分的に基づいて、アンカー・キャリアに関連付けられた最大電力レベルと、ダウンリンク制御データ伝送のための複数のアクセスポイント電力クラスの前記アクセスポイント電力クラスのために予約される前記アンカー・キャリアとを指定するキャリア割り当て情報を第１のアクセスポイント電力クラスを有するアクセスポイントにおいて受信することと、前記キャリア割り当て情報は、前記アクセスポイントのための第１のキャリア割り当てスキームを定義する、
前記キャリア割り当て情報及び前記第１のアクセスポイント電力クラスに少なくとも部分的に基づいて、前記アンカー・キャリアのための電力レベル及び無線ネットワークにおける制御データ伝送を送信するためのアンカー・キャリアを選択することと、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
第１の電力レベルにおいて前記選択されたキャリアを使用して、第１の制御データ伝送を送信することと、
１又は複数のモバイル・デバイスから干渉情報を受信することと、前記干渉情報は、前記選択されたキャリアの上で前記１又は複数のモバイル・デバイスによって受信された干渉に基づく、ここにおいて、前記干渉は、前記異なるアクセスポイント電力クラスを有する前記異なるアクセスポイントから受信される、
第２の電力レベルにおいて前記第２のキャリアを使用して、前記１又は複数のモバイル・デバイスに第２の制御データ伝送を送信することと、ここにおいて、前記第２のキャリア及び前記第２の電力レベルは、前記受信された干渉情報に少なくとも部分的に基づいて選択され、前記第２の電力レベルは、前記キャリア割り当て情報において指定された前記最大電力レベルを超えない、
を含む方法。
【請求項２１】
前記キャリア割り当て情報を前記受信することは、マクロセル・アクセスポイントから前記キャリア割り当て情報を受信することを含む請求項２０の方法。
【請求項２２】
前記１又は複数のモバイル・デバイスの近接性を判定することを更に含み、前記選択されたキャリアは、前記１又は複数のモバイル・デバイスの前記近接性に少なくとも部分的に基づいて選択される請求項２０の方法。
【請求項２３】
前記キャリア割り当て情報は、マクロセル・アクセスポイント電力クラスのための制限の無い電力を持つオープンアクセス共有キャリア、フェムトセル又はピコセル・アクセスポイント電力クラスのための低い電力を持つオープンアクセス共有キャリア、及び、クローズドサブスクライバーグループ・アクセスポイント電力クラスのための低い電力を持つクローズドアクセスキャリアを指定する請求項２０の方法。
【請求項２４】
前記キャリア割り当て情報を、提供されたセル中の１又は複数のアクセスポイントに送信することを更に含む請求項２０の方法。
【請求項２５】
ネットワーク仕様又は受信された構成に基づいて、前記キャリア割り当て情報を生成することを更に含む請求項２４の方法。
【請求項２６】
無線通信装置であって、
アクセスポイントのアクセスポイント電力クラスに少なくとも部分的に基づいて、アンカー・キャリアに関連付けられた最大電力レベルと、ダウンリンク制御データ伝送のための複数のアクセスポイント電力クラスの前記アクセスポイント電力クラスのために予約される前記アンカー・キャリアとを指定するキャリア割り当て情報を第１のアクセスポイント電力クラスを有するアクセスポイントにおいて受信し、前記キャリア割り当て情報は、前記アクセスポイントのための第１のキャリア割り当てスキームを定義する、
前記キャリア割り当て情報及び前記第１のアクセスポイント電力クラスに少なくとも部分的に基づいて、前記アンカー・キャリアのための電力レベル及び無線ネットワークにおける制御データ伝送を送信するためのアンカー・キャリアを選択し、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
第１の電力レベルにおいて前記選択されたキャリアを使用して、第１の制御データ伝送を送信し、
１又は複数のモバイル・デバイスから干渉情報を受信し、前記干渉情報は、前記選択されたキャリアの上で前記１又は複数のモバイル・デバイスによって受信された干渉に基づく、ここにおいて、前記干渉は、前記異なるアクセスポイント電力クラスを有する前記異なるアクセスポイントから受信される、
第２の電力レベルにおいて前記第２のキャリアを使用して、前記１又は複数のモバイル・デバイスに第２の制御データ伝送を送信し、ここにおいて、前記第２のキャリア及び前記第２の電力レベルは、前記受信された干渉情報に少なくとも部分的に基づいて選択され、前記第２の電力レベルは、前記キャリア割り当て情報において指定された前記最大電力レベルを超えない、
ように構成された少なくとも一つのプロセッサと、
前記少なくとも一つのプロセッサに接続されたメモリと
を含む無線通信装置。
【請求項２７】
前記少なくとも一つのプロセッサは、マクロセル・アクセスポイントから前記キャリア割り当て情報を受信する請求項２６の無線通信装置。
【請求項２８】
前記選択されたキャリアは、前記１又は複数のモバイル・デバイスの近接性に少なくとも部分的に基づいて選択される請求項２６の無線通信装置。
【請求項２９】
前記無線通信装置は、ピコセル・アクセスポイント又はフェムトセル・アクセスポイントである請求項２６の無線通信装置。
【請求項３０】
アクセスポイントのアクセスポイント電力クラスに少なくとも部分的に基づいて、アンカー・キャリアに関連付けられた最大電力レベルと、ダウンリンク制御データ伝送のための複数のアクセスポイント電力クラスの前記アクセスポイント電力クラスのために予約される前記アンカー・キャリアとを指定するキャリア割り当て情報を第１のアクセスポイント電力クラスを有するアクセスポイントにおいて受信するための手段と、前記キャリア割り当て情報は、前記アクセスポイントのための第１のキャリア割り当てスキームを定義する、
前記キャリア割り当て情報及び前記第１のアクセスポイント電力クラスに少なくとも部分的に基づいて、前記アンカー・キャリアのための電力レベル及び無線ネットワークにおける制御データ伝送を送信するためのアンカー・キャリアを選択するための手段と、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
第１の電力レベルにおいて前記選択されたキャリアを使用して、第１の制御データ伝送を送信するための手段と、
１又は複数のモバイル・デバイスから干渉情報を受信するための手段と、前記干渉情報は、前記選択されたキャリアの上で前記１又は複数のモバイル・デバイスによって受信された干渉に基づく、ここにおいて、前記干渉は、前記異なるアクセスポイント電力クラスを有する前記異なるアクセスポイントから受信される、
第２の電力レベルにおいて前記第２のキャリアを使用して、前記１又は複数のモバイル・デバイスに第２の制御データ伝送を送信するための手段と、ここにおいて、前記第２のキャリア及び前記第２の電力レベルは、前記受信された干渉情報に少なくとも部分的に基づいて選択され、前記第２の電力レベルは、前記キャリア割り当て情報において指定された前記最大電力レベルを超えない、
を含む装置。
【請求項３１】
前記キャリア割り当て情報を受信するための前記手段は、マクロセル・アクセスポイントから前記キャリア割り当て情報を受信する請求項３０の装置。
【請求項３２】
前記選択されたキャリアを選択するための前記手段は、前記１又は複数のモバイル・デバイスの近接性を取得し、前記１又は複数のモバイル・デバイスの前記近接性に少なくとも部分的に基づいて前記選択されたキャリアを選択する請求項３０の装置。
【請求項３３】
コンピュータ・プログラムであって、
少なくとも一つのコンピュータに、アクセスポイントのアクセスポイント電力クラスに少なくとも部分的に基づいて、アンカー・キャリアに関連付けられた最大電力レベルと、ダウンリンク制御データ伝送のための複数のアクセスポイント電力クラスの前記アクセスポイント電力クラスのために予約される前記アンカー・キャリアとを指定するキャリア割り当て情報を第１のアクセスポイント電力クラスを有するアクセスポイントにおいて受信させるためのコードと、前記キャリア割り当て情報は、前記アクセスポイントのための第１のキャリア割り当てスキームを定義する、
前記少なくとも一つのコンピュータに、前記キャリア割り当て情報及び前記第１のアクセスポイント電力クラスに少なくとも部分的に基づいて、前記アンカー・キャリアのための電力レベル及び無線ネットワークにおける制御データ伝送を送信するためのアンカー・キャリアを選択させるためのコードと、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
前記少なくとも一つのコンピュータに、第１の電力レベルにおいて前記選択されたキャリアを使用して、第１の制御データ伝送を送信させるためのコードと、
前記少なくとも一つのコンピュータに、１又は複数のモバイル・デバイスから干渉情報を受信させるためのコードと、前記干渉情報は、前記選択されたキャリアの上で前記１又は複数のモバイル・デバイスによって受信された干渉に基づく、ここにおいて、前記干渉は、前記異なるアクセスポイント電力クラスを有する前記異なるアクセスポイントから受信される、
前記少なくとも一つのコンピュータに、第２の電力レベルにおいて前記第２のキャリアを使用して、前記１又は複数のモバイル・デバイスに第２の制御データ伝送を送信させるためのコードと、ここにおいて、前記第２のキャリア及び前記第２の電力レベルは、前記受信された干渉情報に少なくとも部分的に基づいて選択され、前記第２の電力レベルは、前記キャリア割り当て情報において指定された前記最大電力レベルを超えない、
を含むコンピュータ・プログラム。
【請求項３４】
前記少なくとも一つのコンピュータに、前記キャリア割り当て情報を受信させるための前記コードは、マクロセル・アクセスポイントから前記キャリア割り当て情報を受信する請求項３３のコンピュータ・プログラム。
【請求項３５】
前記少なくとも一つのコンピュータに、前記１又は複数のモバイル・デバイスの近接性を判定させ、前記１又は複数のモバイル・デバイスの前記近接性に少なくとも部分的に基づいて前記選択されたキャリアを選択させるためのコードをさらに備える請求項３３のコンピュータ・プログラム。
【請求項３６】
装置であって、
アクセスポイントのアクセスポイント電力クラスに少なくとも部分的に基づいて、アンカー・キャリアに関連付けられた最大電力レベルと、ダウンリンク制御データ伝送のための複数のアクセスポイント電力クラスの前記アクセスポイント電力クラスのために予約される前記アンカー・キャリアとを指定するキャリア割り当て情報を第１のアクセスポイント電力クラスを有するアクセスポイントにおいて受信するキャリア構成コンポーネントと、前記キャリア割り当て情報は、前記アクセスポイントのための第１のキャリア割り当てスキームを定義する、
前記キャリア割り当て情報及び前記第１のアクセスポイント電力クラスに少なくとも部分的に基づいて、前記アンカー・キャリアのための電力レベル及び無線ネットワークにおける制御データ伝送を送信するためのアンカー・キャリアを選択するキャリア選択コンポーネントと、
ここにおいて、前記第１のキャリア割り当てスキームは、前記第１のアクセスポイント電力クラスのために、ダウンリンク制御データ伝送のための第１のキャリアと第２のキャリアの電力レベル、追加的なキャリアとして予約された前記第２のキャリア、及び前記アンカー・キャリアとして指定された前記第１のキャリアを指定し、
ここにおいて、異なるアクセスポイント電力クラスを有する異なるアクセスポイントは、前記第１のキャリア割り当てスキームとは異なる第２のキャリア割り当てスキームを有し、ここにおいて、前記第２のキャリア割り当てスキームは、前記異なるアクセスポイント電力クラスのために、ダウンリンク制御データ伝送のための第３のキャリアの電力レベル、及び前記アンカー・キャリアとして指定された前記第３のキャリアを指定する、
１又は複数のモバイル・デバイスから干渉情報を受信する受信コンポーネントと、前記干渉情報は、前記選択されたキャリアの上で前記１又は複数のモバイル・デバイスによって受信された干渉に基づく、ここにおいて、前記干渉は、前記異なるアクセスポイント電力クラスを有する前記異なるアクセスポイントから受信される、
第１の電力レベルにおいて前記選択されたキャリアを使用して、第１の制御データ伝送を送信し、
第２の電力レベルにおいて前記第２のキャリアを使用して、前記１又は複数のモバイル・デバイスに第２の制御データ伝送を送信する、ここにおいて、前記第２のキャリア及び前記第２の電力レベルは、前記受信された干渉情報に少なくとも部分的に基づいて選択され、前記第２の電力レベルは、前記キャリア割り当て情報において指定された前記最大電力レベルを超えない、
キャリア通信コンポーネントと
を含む装置。
【請求項３７】
前記キャリア構成コンポーネントは、マクロセル・アクセスポイントから前記キャリア割り当て情報を受信する請求項３６の装置。
【請求項３８】
前記キャリア選択コンポーネントは、前記１又は複数のモバイル・デバイスの近接性を取得し、前記１又は複数のモバイル・デバイスの前記近接性に少なくとも部分的に基づいて前記選択されたキャリアを選択する請求項３６の装置。